(57)【要約】【課題】安定した消磁効力が永続的に期待できるカラー陰極線管への消磁コイルの取付け構造を提供する。【解決手段】カラー陰極線管１における上下左右の４つの角から延び出す突片２にそれぞれ保持具３が取り付けられ、これらの保持具３のフック４に輪状に繋がった消磁コイル５が掛け渡される。消磁コイル５は、フック４のうちの対角に位置する２つのフック４に掛かっている部分をそれぞれそのフック４を跨いでヒモで結束されて張りが与えられている。【選択図】図１
2008061203.tif 000002
【特許請求の範囲】
【請求項１】
カラー陰極線管の背面の周縁に消磁コイルを這わせた状態に取り付けるカラー陰極線管への消磁コイルの取付け構造であって、
カラー陰極線管における上下左右の４つの角から延び出す突片にそれぞれ保持具が取り付けられ、これらの保持具のフックに輪状に繋がった消磁コイルが掛け渡されており、この消磁コイルは、上下を２箇所ずつガラス製の粘着テープで前記カラー陰極線管の背面に貼り付けられているカラー陰極線管への消磁コイルの取付け構造において、
前記消磁コイルは、前記粘着テープによる貼付けに代えて、前記フックのうちの対角に位置する２つのフックに掛かっている部分をそれぞれそのフックを跨いでヒモで結束されて張りが与えられており、
前記ヒモは難燃性の材料よりなることを特徴とするカラー陰極線管への消磁コイルの取付け構造。
【請求項２】
カラー陰極線管の背面の周縁に消磁コイルを這わせた状態に取り付けるカラー陰極線管への消磁コイルの取付け構造であって、
カラー陰極線管における上下左右の４つの角から延び出す突片にそれぞれ保持具が取り付けられ、これらの保持具のフックに輪状に繋がった消磁コイルが掛け渡されており、この消磁コイルは、前記フックのうちの対角に位置する２つのフックに掛かっている部分をそれぞれそのフックを跨いでヒモで結束されて張りが与えられていることを特徴とするカラー陰極線管への消磁コイルの取付け構造。
【請求項３】
前記ヒモは難燃性の材料よりなることを特徴とする請求項２に記載のカラー陰極線管への消磁コイルの取付け構造。
【発明の詳細な説明】
【技術分野】
【０００１】
本発明は、カラー陰極線管の背面の周縁に消磁コイルを這わせた状態に取り付けるカラー陰極線管への消磁コイルの取付け構造に関する。
【背景技術】
【０００２】
テレビ受像器やコンピュータディスプレイやビデオモニタといったようなカラー画像の表示を行う表示装置には、一般にブラウン管と呼ばれる陰極線管（Cathode Ray Tube；ＣＲＴ）が多く用いられる。そのカラー陰極線管（以下、単に「ＣＲＴ」と記すことがある）では、内蔵のシャドウマスク等が帯磁してしまうと、表示するカラー画像に色ずれが発生して画質が損なわれることから、これを防止するために消磁機能を備えるものが多い。一般には、ＣＲＴの背面の周縁に消磁コイルを這わせておき、ＣＲＴ起動時その消磁コイルに次第に値が小さくなる交流電流を流すことで消磁を行うようにしている。
【０００３】
ここで、従来のカラー陰極線管への消磁コイルの取付け構造について、図３、図４を参照しながら説明する。図３、図４に示すように、ＣＲＴ１０１については、その上下左右の４つの角から外側に向けて突片１０２が延び出している。これらの突片１０２には、消磁コイル１０５を保持するための保持具１０３が取り付けられる。これらの保持具１０３はフック１０４を有する。消磁コイル１０５は輪状に繋がっており、保持具１０３のフック１０４に掛け渡される。
【０００４】
そして、このままでは消磁コイル１０５は弛んでいることから、特に左右方向に延びている下の部分がＣＲＴ１０１の背面から大きく下方に離れてしまい、その結果、消磁の効力が不安定になり易い。なお、ＣＲＴ１０１がビデオカセットレコーダやＤＶＤ（Digital Versatile Disk）レコーダを一体で搭載したテレビ受像器に用いられた場合であって、ＣＲＴ１０１の下方にビデオカセットテープやＤＶＤへのローディング機構が存在する場合は、そのローディング機構に弛んだ消磁コイル１０５が接触して、ローディング動作の不具合を招くおそれもある。
【０００５】
そのため、消磁コイル１０５は、左右方向に延びている上下それぞれの部分を、大体２箇所ずつ、ガラス製の粘着テープ１０６によってＣＲＴ１０１の背面に貼り付けられている。これにより、消磁コイル１０５は、ＣＲＴ１０１の背面の周縁に這った状態になり、安定した消磁効力が一応得られる（例えば、特許文献１参照）。
【特許文献１】特開２００４−３２８６８４号公報
【発明の開示】
【発明が解決しようとする課題】
【０００６】
しかし、ＣＲＴへの消磁コイルの取付け構造に関する従来の手法では、粘着テープ１０６の粘着力が経時変化によって低下することは否めず、そのため、粘着テープ１０６がＣＲＴ１０１の背面からはがれてしまう場合がある。その場合、消磁コイル１０５がＣＲＴ１０１の背面から離れて弛んでしまうため、消磁効力が不安定になる。特に、ＣＲＴ１０１の画面サイズが大きいほど、消磁コイル１０５は長く太くなって重くなるため、粘着テープ１０６が一層はがれ易い。
【０００７】
そこで本発明は、上記の問題に鑑みてなされたものであり、安定した消磁効力が永続的に期待できるカラー陰極線管への消磁コイルの取付け構造を提供することを目的とするものである。
【課題を解決するための手段】
【０００８】
上記目的を達成するため、本発明によるカラー陰極線管への消磁コイルの取付け構造は、カラー陰極線管の背面の周縁に消磁コイルを這わせた状態に取り付けるカラー陰極線管への消磁コイルの取付け構造であって、カラー陰極線管における上下左右の４つの角から延び出す突片にそれぞれ保持具が取り付けられ、これらの保持具のフックに輪状に繋がった消磁コイルが掛け渡されており、この消磁コイルは、上下を２箇所ずつガラス製の粘着テープで前記カラー陰極線管の背面に貼り付けられているカラー陰極線管への消磁コイルの取付け構造において、次の点を特徴とする。前記消磁コイルは、前記粘着テープによる貼付けに代えて、前記フックのうちの対角に位置する２つのフックに掛かっている部分をそれぞれそのフックを跨いでヒモで結束されて張りが与えられており、前記ヒモは難燃性の材料よりなる。
【０００９】
これにより、安定した消磁効力が得られるし、しかもこれは、経時変化のないヒモによる結束でなされるため、従来のような粘着テープのはがれに伴う消磁コイルの弛みは一切生じず、永続的に安定した消磁効力が期待できる。
【００１０】
また、上記目的を達成するための本発明によるカラー陰極線管への消磁コイルの取付け構造は、カラー陰極線管の背面の周縁に消磁コイルを這わせた状態に取り付けるカラー陰極線管への消磁コイルの取付け構造であって、カラー陰極線管における上下左右の４つの角から延び出す突片にそれぞれ保持具が取り付けられ、これらの保持具のフックに輪状に繋がった消磁コイルが掛け渡されており、この消磁コイルは、前記フックのうちの対角に位置する２つのフックに掛かっている部分をそれぞれそのフックを跨いでヒモで結束されて張りが与えられている。
【００１１】
これにより、安定した消磁効力が得られるし、しかもこれは、経時変化のないヒモによる結束でなされるため、従来のような粘着テープのはがれに伴う消磁コイルの弛みは一切生じず、永続的に安定した消磁効力が期待できる。
【００１２】
ここで、実用的には、前記ヒモは難燃性の材料よりなることが好ましい。
【発明の効果】
【００１３】
本発明のカラー陰極線管への消磁コイルの取付け構造によれば、安定した消磁効力が永続的に期待できる。
【発明を実施するための最良の形態】
【００１４】
以下に、本発明のカラー陰極線管への消磁コイルの取付け構造の一実施形態について、図面を参照しながら詳述する。図１は本発明の一実施形態であるＣＲＴへの消磁コイルの取付け構造を示すＣＲＴを背面側から見た斜視図、図２はそのＣＲＴの背面図である。
【００１５】
図１、図２に示すように、ＣＲＴ１については、その上下左右の４つの角から外側に向けて突片２が延び出している。これらの突片２には、消磁コイル５を保持するための保持具３が取り付けられる。なお、突片２は、一般に耳と呼ばれる部分であって、ＣＲＴ１を表示装置のケースに組み付ける際、そのケースのブラケットにボルト等で固定される。
【００１６】
それらの保持具３は、ＣＲＴ１における背面の４隅に相当する位置にフック４を有する。消磁コイル５は輪状に繋がっており、保持具３のフック４に掛け渡される。なお、ここでの消磁コイル５は、消磁効力をより有効に発揮するために、概ね８の字状になっている。つまり、消磁コイル５は、大きな輪の部分と小さな輪の部分よりなり、大きな輪の部分が上側の左右の保持具３のフック４に掛け渡され、小さな輪の部分が下側の左右の保持具３のフック４に掛け渡される。
【００１７】
そして、消磁コイル５は、これが掛け渡されているフック４のうちの対角に位置する２つのフック４（図１、図２では、右上のフック４と左下のフック４）に掛かっている部分を、それぞれそのフック４のやや内側でそのフック４を跨ぐように、ヒモ６で結束される。その結果、消磁コイル５には張りが与えられ、消磁コイル５がＣＲＴ１の背面の周縁に這った状態になる。これにより、安定した消磁効力が得られる。しかもこれは、経時変化のないヒモ６による結束でなされるため、従来のような粘着テープ１０６のはがれに伴う消磁コイル１０５の弛みは一切生じず、永続的に安定した消磁効力が期待できる。
【００１８】
ここでのヒモ６としては、タイラップ（Ｒ）やインシュロック（Ｒ）等と呼ばれる一般に簡単に入手できるケーブルタイが好適である。もっとも、安全性の観点から、ヒモ６は難燃性の材料よりなることが望ましく、これと合わせて、絶縁性の材料よりなることが望ましい。
【００１９】
その他本発明は上記の各実施形態に限定されず、本発明の趣旨を逸脱しない範囲で、種々の変更が可能である。例えば、ヒモ６で結束される部分は、ＣＲＴ１における背面の対角に位置する２つのフック４に掛かっている部分であればよく、左上のフック４と右下のフック４に掛かっている部分でも構わない。
【産業上の利用可能性】
【００２０】
本発明は、カラー画像の表示に用いられるカラー陰極線管に有用である。
【図面の簡単な説明】
【００２１】
【図１】本発明の一実施形態であるＣＲＴを背面側から見た斜視図である。
【図２】図１のＣＲＴの背面図である。
【図３】従来のＣＲＴを背面側から見た斜視図である。
【図４】図３のＣＲＴの背面図である。
【符号の説明】
【００２２】
１    カラー陰極線管
２    突片
３    保持具
４    フック
５    消磁コイル
６    ヒモ
【図１】
2008061203.tif 000003
【図２】
2008061203.tif 000004
【図３】
2008061203.tif 000005
【図４】
2008061203.tif 000006